(57)【要約】【課題】複数の床部材が相互に接合されてなる床板を床下地材上に固定してなる床構造において、作業性の向上等が図れる床構造を提供する。【解決手段】バルコニー１は、複数の床部材２が相互に接合されてなる床板２００を床下地材４０上に載置し固定してなる床構造を有する。上記床部材２が上下方向の押し込み嵌合によって相互に接合されるとともに、隣り合う床部材２に各々形成されている水平片部２１同士が上下に重なり、この上下重なりの水平片部に設けられた締結部材２２によって隣り合う床部材２が相互に固定されている。【選択図】図１
2019002257.tif 000002
【特許請求の範囲】
【請求項１】
複数の床部材が相互に接合されてなる床板を床下地材上に固定してなる床構造であって、上記床部材が非回転操作によって相互に接合されることを特徴とする床構造。
【請求項２】
請求項1に記載の床構造において、上記床部材が上下方向の押し込み嵌合によって相互に接合されるとともに、隣り合う床部材に各々形成されている水平片部同士が上下に重なり、この上下重なりの水平片部に設けた締結部材によって隣り合う床部材が相互に固定されていることを特徴とする床構造。
【請求項３】
請求項２に記載の床構造において、上記床部材は、上面が床面となる閉断面構造部と、上側が開口する有底の凹側係合部と、水平方向に突出し、隣の床部材の凹側係合部およびその両側部位を塞ぐ突出床面部と、上記突出床面部の下面側に垂下状に突出し、隣の床部材の凹側係合部に係合する凸側係合部と、を有することを特徴とする床構造。
【請求項４】
請求項３に記載の床構造において、上記突出床面部と、当該突出床面部によって塞がれる隣の床部材の上記両側部位との間に止水材が設けられていることを特徴とする床構造。
【請求項５】
請求項４に記載の床構造において、上記止水材が、上記突出床面部および／または上記両側部位に形成されている凹凸部によって保持されることを特徴とする床構造。
【請求項６】
請求項1に記載の床構造において、上記床部材は、左右位置または左右の一方側に係合凸部と係合凹部を有し、隣り合う床部材の上記係合凸部と係合凹部のスライド嵌合によって、当該床部材の相互の上下左右の移動が制限されていることを特徴とする床構造。
【請求項７】
請求項６に記載の床構造において、上記床部材は、上面が床面となる閉断面構造部と、上記閉断面構造部の横側に位置し、床面または底面となる水平突出部と鉛直部とからなる鉤形状部と、を有しており、隣り合う床部材の上記鉤形状部側同士において上記係合凸部と上記係合凹部とによるスライド嵌合が行われて上記閉断面構造部の横側に閉鎖方形部が形成されることを特徴とする床構造。
【請求項８】
請求項６に記載の床構造において、上記床部材は、上面が床面となる閉断面構造部と、上記閉断面構造部の一方の横側に位置し、床面となる水平突出部と鉛直部とからなる略Ｔ字状のＴ字形状部と、他方の横側に位置し、底面となる水平突出部と鉛直部とからなる鉤形状部と、を有しており、隣り合う床部材の上記Ｔ字形状部側と上記鉤形状部側とにおいて上記係合凸部と上記係合凹部とによるスライド嵌合が行われて上記閉断面構造部の横側に閉鎖方形部が形成されることを特徴とする床構造。
【請求項９】
請求項８に記載の床構造において、上記係合凸部は、隣り合う一方の床部材の上記閉断面構造部の横側に、隣り合う他方の床部材の上記Ｔ字形状部の上記水平突出部に上下に重なるように位置しており、上記係合凹部は、隣り合う他方の床部材の上記Ｔ字形状部に形成されており、上記Ｔ字形状部の上記水平突出部と上記係合凸部との重なり箇所が締結部材によって互いに固定されていることを特徴とする床構造。
【発明の詳細な説明】
【技術分野】
【０００１】
この発明は、複数の床部材が相互に接合されてなる床板を床下地材上に固定してなる床構造に関する。
【背景技術】
【０００２】
特許文献１には、長尺の床部材を幅方向に並設した床構造が開示されている。この床構造では、上記床部材を相対回転させることで互いが嵌合する構造となっている。
【先行技術文献】
【特許文献】
【０００３】
【特許文献１】特許第５１９７１３４号
【発明の概要】
【発明が解決しようとする課題】
【０００４】
しかしながら、上記従来の床構造は、上記のように床部材を相対回転させることで互いが嵌合し合う構造であるため、嵌合操作が行い難く、現場での作業効率が悪いという問題がある。また、現場で1つの床部材を床下地にビスで固定した後に次の1つの床部材を上記のように回転嵌合させる必要がある。このため、複数の床部材を工場においてあらかじめ相互に嵌合させて床板とした半完成形態で現場に搬送し、この床板を床下地材に取り付けることはできない。また、上記ビスで固定した箇所に雨水が入り込むと、上記ビスの箇所から漏水が生じるおそれがある。
【０００５】
この発明は、上記の事情に鑑み、複数の床部材が相互に接合されてなる床板を床下地材上に固定してなる床構造において、作業性の向上等が図れる床構造を提供することを課題とする。
【課題を解決するための手段】
【０００６】
この発明の床構造は、上記の課題を解決するために、複数の床部材が相互に接合されてなる床板を床下地材上に固定してなる床構造であって、上記床部材が非回転操作によって相互に接合されることを特徴とする。
【０００７】
上記の構成であれば、非回転操作によって各床部材が相互に接合される。例えば、上記床部材は、非回転操作として、上下方向の押し込み嵌合、或いは、スライド嵌合によって相互に接合される。これにより、床部材の回転操作による相互嵌合で生じる問題、特に、嵌合操作が行い難く、現場での作業効率が悪いという問題を解消することができる。
【０００８】
上記床部材が上下方向の押し込み嵌合によって相互に接合されるとともに、隣り合う床部材に各々形成されている水平片部同士が上下に重なり、この上下重なりの水平片部に設けた締結部材によって隣り合う床部材が相互に固定されていてもよい。これによれば、上記締結部材によって隣り合う床部材が相互に固定されるので、複数の床部材を工場等において相互に嵌合固定させて床板とした半完成形態で現場に搬送し、この床板を床下地材に取り付けることができる。これにより、現場での作業時間の短縮化が図れる。
【０００９】
上記床部材は、上面が床面となる閉断面構造部と、上側が開口する有底の凹側係合部と、水平方向に突出し、隣の床部材の凹側係合部およびその両側部位を塞ぐ突出床面部と、上記突出床面部の下面側に垂下状に突出し、隣の床部材の凹側係合部に係合する凸側係合部と、を有してもよい。これによれば、上記床部材の上下方向の押し込み嵌合が上記凹側係合部と上記凸側係合部とにより行える。また、上記凹側係合部は上側が開口し有底であるので、仮に上記開口から雨水が浸入したとしても、当該凹側係合部は樋として機能できるので、不所望な漏水を防止することができる。
【００１０】
上記突出床面部と、当該突出床面部によって塞がれる隣の床部材の上記両側部位との間に止水材が設けられていてもよい。これによれば、上記凹側係合部に雨水が浸入するのを上記止水材によって極力防止することができる。
【００１１】
上記止水材が、上記突出床面部および／または上記両側部位に形成されている凹凸部によって保持されていてもよい。これによれば、上記止水材を凹凸でしっかりと噛んで固定することができ、経年による上記止水材のずれ等を防止できる。
【００１２】
或いは、上記床部材は、左右位置または左右の一方側に係合凸部と係合凹部を有し、隣り合う床部材の上記係合凸部と係合凹部のスライド嵌合によって、当該床部材の相互の上下左右の移動が制限されてもよい。これによれば、スライド嵌合によって隣り合う床部材が相互に固定されるので、複数の床部材を工場等においてあらかじめ相互に嵌合固定させて床板とした半完成形態で現場に搬送し、この床板を床下地材に取り付けることができる。
【００１３】
上記床部材は、上面が床面となる閉断面構造部と、上記閉断面構造部の横側に位置し、床面または底面となる水平突出部と鉛直部とからなる鉤形状部と、を有しており、隣り合う床部材の上記鉤形状部側同士において上記係合凸部と上記係合凹部とによるスライド嵌合が行われて上記閉断面構造部の横側に閉鎖方形部が形成されてもよい。これによれば、上記閉鎖方形部によって上記半完成形態としたときの剛性を向上させることができる。
【００１４】
或いは、上記床部材は、上面が床面となる閉断面構造部と、上記閉断面構造部の一方の横側に位置し、床面となる水平突出部と鉛直部とからなる略Ｔ字状のＴ字形状部と、他方の横側に位置し、底面となる水平突出部と鉛直部とからなる鉤形状部と、を有しており、隣り合う床部材の上記Ｔ字形状部側と上記鉤形状部側とにおいて上記係合凸部と上記係合凹部とによるスライド嵌合が行われて上記閉断面構造部の横側に閉鎖方形部が形成されてもよい。
【００１５】
そして、かかる構成において、上記係合凸部は、隣り合う一方の床部材の上記閉断面構造部の横側に、隣り合う他方の床部材の上記Ｔ字形状部の上記水平突出部に上下に重なるように位置しており、上記係合凹部は、隣り合う他方の床部材の上記Ｔ字形状部に形成されており、上記Ｔ字形状部の上記水平突出部と上記係合凸部との重なり箇所が締結部材によって互いに固定されていてもよい。これによれば、単にスライド嵌合させた場合に生じがちな床部材同士のガタツキを上記締結部材による締結によって低減できる。
【発明の効果】
【００１６】
本発明であれば、複数の床部材が相互に接合されてなる床板を床下地材上に固定してなる床構造において、作業性の向上が図れる等の効果を奏する。
【図面の簡単な説明】
【００１７】
【図１】本発明の実施形態の床構造であるバルコニーを側面からみたときの縦断面の概略を示した説明図である。
【図２】図１のバルコニーの床板の床部材を分離して示した断面図である。
【図３】図１のバルコニーの床板の床部材を組み付ける工程を示した説明図である。
【図４】図１のバルコニーにおけるパラペット（手すり）側の床部材を示した断面図である。
【図５】図１のバルコニーにおける外壁側の床部材を示した断面図である。
【図６】図１のバルコニーにおける床板への雨水の浸入を示した説明図である
【図７】本発明の他の実施形態を示す図であって、バルコニーを側面からみたときの縦断面の概略を示した説明図である。
【図８】図７のバルコニーを正面からみたときの縦断面の概略を示した説明図である。
【図９】図７のバルコニーの床板の床部材を分離した状態およびスライド嵌合により組み付けた状態を示した説明図である。
【図１０】図７のバルコニーの床板の床部材を分離した状態およびスライド嵌合により組み付けた状態を示した説明図である。
【図１１】図７のバルコニーの床板の床部材を分離した状態およびスライド嵌合により組み付けた状態を示した説明図である。
【図１２】図７のバルコニーの他の構造例を示す図であって、床板の床部材を分離した状態およびスライド嵌合により組み付けた状態を示した説明図である。
【発明を実施するための形態】
【００１８】
図１に、この実施形態の床構造としてのバルコニー１を示している。このバルコニー１は、複数の床部材２が相互に接合されてなる床板２００を床下地材４０上にビス４によって固定した構造を有する。また、上記バルコニー１は、例えば、胴差部４１から突出された複数本の腕木４２上に構築される。上記複数本の腕木４２の先端側には横架部材４３が架け渡され、この横架部材４３によって上記複数本の腕木４２の先端部が相互に固定される。また、上記腕木４２および横架部材４３には、上記バルコニー１の周囲部をなすパラペット(手すり)１１が設けられる。
【００１９】
また、上記床下地材４０は外壁４４側に下り傾斜する水勾配が形成されている。そして、この水勾配の最も下側となる箇所には竪樋部１２が取り付けられている。
【００２０】
上記床部材２は、例えば、上記床板２００の横方向に長尺となる形状を有するアルミニウム製の押出成形品等からなり、このような床部材からなる上記床板２００は、いわゆる横引きといわれる床板構造となる。また、上記床部材２は、上記床板２００の奥行方向に例えば６本設けられている。最も外側となる位置に設けられる先端側床部材２（２Ａ）と最も外壁側となる位置に設けられる基端側床部材２（２Ｂ）は、他の床部材２と異なる形状を有している。上記床部材２は、例えば、基準寸法の１／８のサイズとされており、バルコニー１の奥行のサイズ変更が基準寸法の１／８単位で可能になっている。
【００２１】
上記床部材２，２Ａ，２Ｂは、非回転操作によって相互に接合されて上記床板２００となる。この実施形態では、各床部材２は、図２および図３にも示すように、非回転操作である上下方向の押し込み嵌合によって相互に接合される。そして、隣り合う床部材２に各々形成されている水平片部２１同士が上下に重なり、この上下重なりの水平片部２１に設けられたビス等の締結部材２２によって隣り合う床部材２が相互に固定されている。各床部材２の両側にそれぞれ形成される上記水平片部２１のうち上側に位置することになる水平片部２１は下側に位置する水平片部２１に比べて厚肉に形成されている。
【００２２】
また、上記床部材２は、上面が床面となる略四角形状の閉断面構造部２３を有する。この閉断面構造部２３の下面に、上記床板２００を床下地材４０上に固定する上記ビス４が打ち込まれる。さらに、上記床部材２は、上記閉断面構造部２３の横側位置に、上側が開口する有底の凹側係合部２４を有している。この凹側係合部２４は、有底であることから、樋として機能することができる。また、上記床部材２は、水平方向に突出し、隣の床部材２の凹側係合部２４およびその両側部位を塞ぐとともに床面をなす突出床面部２５と、上記突出床面部２５の下面側に垂下状に突出し、隣の床部材２の凹側係合部２４に係合する凸側係合部２６とを有する。
【００２３】
隣り合う床部材２を上下にずらした状態で互いに接近させると、上記水平片部２１、２１が上下に重なり、また、上記凹側係合部２４の開口位置に隣の床部材２の凸側係合部２６の先端を位置させることができる。そして、この状態で隣り合う床部材２を上下方向に押して嵌合させると、相互に固定されることになる。なお、上記凹側係合部２４および上記凸側係合部２６には突起部が形成されており、これら突起部が係合して上記嵌合の状態を保持できるようになっている。
【００２４】
図４に示すように、最も外側となる位置に設けられる先端側床部材２Ａと床部材２との接合においても、上記と同様に、上下方向に押して嵌合させて相互に接合させることができる。上記先端側床部材２Ａは、上記パラペット１１の下部の水切りの下側に潜り込む鉛直部２Ａａを有している点および上記凹側係合部２４が無い点で上記床部材２と形状が異なっている。
【００２５】
また、図５示すように、最も奥側となる位置に設けられる基端側床部材２Ｂと床部材２との接合においても、上記と同様に、上下方向に押して嵌合させて相互に接合させることができる。上記基端側床部材２Ｂは、底板部２Ｂａと、上記外壁４４の下部側の水切りの下側に潜り込む鉛直部２Ｂｂとを有している点、上記凸側係合部２６が無い点および上記閉断面構造部２３が小さい点で上記床部材２と形状が異なっている。なお、上記竪樋部１２は、その口部を上記底板部２Ｂａ上に出して設けられる。
【００２６】
また、図６に示すように、上記隣り合う床部材２（２Ｂ）において、上記凹側係合部２４の両側に位置する両側部位２７は、隣の床部材２における突出床面部２５によって塞がれる。また、上記突出床面部２５と上記両側部位２７との間に止水材Ｇが設けられている。この止水材Ｇは、例えば、ＥＰＤＭ（エチレン・プロピレンゴム）の発泡体などの柔軟性のある素材を用いることができる。
【００２７】
上記隣り合う床部材２（２Ａ）において、上記突出床面部２５の裏面側には凹凸部が形成されていている。上記止水材Ｇは、上記凹凸部に押しつぶされ、上記突出床面部２５および上記両側部位２７に密着することになる。なお、上記凹凸部は上記床部材２の両側部位２７に形成されていてもよい。
【００２８】
上記の構成であれば、上記床部材２は、非回転操作である上下方向の押し込み嵌合によって相互に接合されるので、回転操作による相互嵌合で生じる問題、特に、嵌合操作が行い難く、現場での作業効率が悪いという問題を解消することができる。
【００２９】
上記隣り合う床部材２の上下に重なる水平片部２１に設けられた締結部材２２によって隣り合う床部材２が相互に固定されると、複数の床部材２を工場等において相互に嵌合固定させて床板２００とした半完成形態で現場に搬送し、この床板２００を床下地材４０に取り付けることができる。また、上記床板２００の上面にシート材を貼付した状態を半完成形態とすることもできる。
【００３０】
上記床部材２が、上記閉断面構造部２３と、上記凹側係合部２４と、上記突出床面部２５と、上記凸側係合部２６と、を有すると、上記床部材２の上下方向の押し込み嵌合が上記凹側係合部２４と上記凸側係合部２６とにより行えることになる。また、上記凹側係合部２４は上側が開口し有底であるので、図６に示したように、仮に上記開口から雨水が浸入したとしても、当該凹側係合部２４は樋として機能できるので、不所望な漏水を防止することができる。
【００３１】
上記突出床面部２５と、当該突出床面部２５によって塞がれる隣の床部材２の上記両側部位２７との間に止水材Ｇが設けられていると、上記凹側係合部２４に雨水が浸入するのを上記止水材Ｇによって極力防止することができる。また、仮に、上記閉断面構造部２３の上面側の止水材Ｇを突破して上記凹側係合部２４内に雨水が溜まり、上記締結部材２２の箇所に溢れて浸入しようとしても、もう一つの止水材Ｇによってこの浸入を阻止することができる。なお、上記床板２００の左右端部は図示しない板状の塞ぎ部材(エンドキャップ)によって塞ぐようにしている。この塞ぎ部材の高さは上記床板２００の高さと略同じであるが、その下辺の高さ位置は、上記樋として機能する凹側係合部２４の箇所の底部よりも上に位置し、上記凹側係合部２４を流れる雨水を排出できるようにしている。一方、上記締結部材２２が設けられる上記水平片部２１の高さ位置は、上記塞ぎ部材の下辺の高さ位置よりも上側に位置しており、上記締結部材２２が設けられる空間部内に風雨時の雨水が入り込まないようにしている。
【００３２】
上記止水材Ｇが、上記突出床面部２５および／または上記両側部位２７に形成されている凹凸部によって保持されると、上記止水材Ｇを凹凸でしっかりと噛んで固定することができ、経年による上記止水材Ｇのずれ等を防止できる。
【００３３】
次に、他の実施形態の床構造について説明していく。なお、説明の冗長を避けるため、上記バルコニー１との相違点を主に説明していく。
【００３４】
図７および図８に示すように、この実施形態のバルコニー１Ａは、複数の床部材３が相互に接合されてなる床板３００を図示しない床下地材上にビス４により固定した構造を有する。上記床部材２は、例えば、上記床板３００の縦方向に長尺となる形状を有したアルミニウム製の押出成形品等からなり、このような床部材からなる上記床板３００は、いわゆる縦引きといわれる床板構造となる。
【００３５】
図９、図１０および図１１に示すように、上記床部材３は、全く同じ形状を有しているわけではないが、上記床部材は、左右位置または左右の一方側に係合凸部３１と係合凹部３２を有し、隣り合う床部材３の上記係合凸部３１と係合凹部３２の水平方向スライド嵌合（床板３００の縦方向のスライド）によって、当該床部材３の相互の上下左右の移動が制限される。上記係合凸部３１は、略Ｌ字形状を有しており、上記係合凹部３２は、上記略Ｌ字形状の空隙部を有してなる。
【００３６】
さらに、上記床部材３は、上面が床面となる閉断面構造部３３を有する。この閉断面構造部３３の下面において、上記床板３００を床下地材上に固定する上記ビス４が打ち込まれる。また、上記閉断面構造部３３の横側には鉤形状部３４が形成されている。この鉤形状部３４は、床面または底面となる水平突出部３４ａと鉛直部３４ｂとからなる。そして、隣り合う床部材３の上記鉤形状部３４側同士において上記係合凸部３１と上記係合凹部３２とによるスライド嵌合が行われて上記閉断面構造部３３の横側に上記鉤形状部３４、３４からなる閉鎖方形部が形成されている。なお、上記係合凸部３１は上記閉断面構造部３３の側面に形成されており、上記係合凹部３２は上記水平突出部３４ａと上記鉛直部３４ｂとの境界部に形成されているが、これに限るものではない。
【００３７】
また、上記床板３００は、例えば、２枚の半製品床版で構成されており、上記２枚の床板は覆い板３Ｂによって連結される。この覆い板３Ｂは、上面が床面となる閉断面構造部３３Ｂを有する。また、この閉断面構造部３３Ｂの側面部には、床面となる水平突出部３４Ｂａと垂下部３４Ｂｂとを有する鉤形状部３４Ｂが形成されている。この鉤形状部３４Ｂは上記床部材３の上記鉤形状部３４に上側から嵌め込むことができる。なお、上記床板３００の端部は板状の塞ぎ部材(エンドキャップ)３５によって塞ぐようにしている。
【００３８】
上記の構成であれば、回転操作による相互嵌合で生じる問題、特に、嵌合操作が行い難く、現場での作業効率が悪いという問題を解消することができる。また、スライド嵌合によって隣り合う床部材３が相互に固定されるので、複数の床部材３を工場等において相互に嵌合固定させて床板３００とした半完成形態で現場に搬送し、この床板３００を床下地に取り付けることができる。また、相互固定のためのビス等を不要にできる。また、上記のように、既定寸法の半分の寸法の２枚の床板３００を作製し、このような２枚の床板３００を現場で組み合わせることもできる。
【００３９】
上記床部材３が上記閉断面構造部３３と上記鉤形状部３４と、を有し、隣り合う床部材３の上記鉤形状部３４のスライド嵌合によって上記閉断面構造部３３の横側に閉鎖方形部が形成されると、上記閉鎖方形部によって上記半完成形態としたときの剛性を向上させることができる。
【００４０】
なお、上記の例では、床構造としてバルコニーを示したが、ベランダの床構造等にも、適用できる。また、横引きの床板２００を上下方向の押し込み嵌合構造としたが、スライド嵌合構造としてもよく、また、縦引きの床板３００をスライド嵌合構造としたが、上下方向の押し込み嵌合構造としてもよいものである。
【００４１】
また、このようなスライド嵌合構造の他の構造例として、図１２に示す構造を採用することができる。この構造では、上記閉断面構造部３３の一方の横側に、略Ｔ字状をしたＴ字形状部３４０が形成されている。このＴ字形状部３４０は、床面となる水平突出部３４０ａと鉛直部３４０ｂとからなる。上記鉛直部３４０ｂは上記水平突出部３４０ａの水平方向の略中間位置から垂下状に形成されており、当該鉛直部３４０ｂの上部箇所に鉤状の係合凹部３２０を有する。一方、上記閉断面構造部３３の他方の横側には上記の鉤形状部３４が底側をなすように形成されている。
【００４２】
また、上記閉断面構造部３３の他方の横側には、隣りの床部材３の上記Ｔ字形状部３４０における上記水平突出部３４０ａの下側に位置する係合凸部３１０が形成されている。この係合凸部３１０は、上記Ｔ字形状部３４０における上記係合凹部３２０に係合する長さを有している。
【００４３】
そして、隣り合う床部材３の互いに向かい合う上記Ｔ字形状部３４０側と上記鉤形状部３４側とにおいて上記係合凸部３１０と上記係合凹部３２０とによるスライド嵌合が行われるようになっており、このスライド嵌合によって上記閉断面構造部３３の横側に閉鎖方形部が形成される。
【００４４】
また、上記Ｔ字形状部３４０の上記水平突出部３４０ａと当該水平突出部３４０ａの下側に位置する上記係合凸部３１０との上下重なり箇所には、皿頭ビス等の締結部材３６が上側から下孔無しでねじ込まれており、この締結部材３６によって隣り合う床部材３同士が互いに固定されている。このような構成であると、単にスライド嵌合させた場合に生じがちな床部材同士のガタツキを上記締結部材３６の締結によって低減することができる。
【００４５】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４６】
１        ：バルコニー
１Ａ      ：バルコニー
２        ：床部材
２Ａ      ：先端側床部材
２Ａａ    ：鉛直部
２Ｂ      ：基端側床部材
２Ｂａ    ：底板部
２Ｂｂ    ：鉛直部
３        ：床部材
３Ｂ      ：覆い板
４        ：ビス
１１      ：パラペット（手すり）
１２      ：竪樋部
２１      ：水平片部
２２      ：締結部材
２３      ：閉断面構造部
２４      ：凹側係合部
２５      ：突出床面部
２６      ：凸側係合部
２７      ：両側部位
３１      ：係合凸部
３２      ：係合凹部
３３      ：閉断面構造部
３３Ｂ    ：閉断面構造部
３４      ：鉤形状部
３４Ｂ    ：鉤形状部
３４Ｂａ  ：水平突出部
３４Ｂｂ  ：垂下部
３４ａ    ：水平突出部
３４ｂ    ：鉛直部
３６      ：締結部材
４０      ：床下地材
４１      ：胴差部
４２      ：腕木
４３      ：横架部材
４４      ：外壁
２００    ：床板
３００    ：床板
３１０    ：係合凸部
３２０    ：係合凹部
３４０    ：Ｔ字形状部
３４０ａ  ：水平突出部
３４０ｂ  ：鉛直部
Ｇ        ：止水材
【図１】
2019002257.tif 000003
【図２】
2019002257.tif 000004
【図３】
2019002257.tif 000005
【図４】
2019002257.tif 000006
【図５】
2019002257.tif 000007
【図６】
2019002257.tif 000008
【図７】
2019002257.tif 000009
【図８】
2019002257.tif 000010
【図９】
2019002257.tif 000011
【図１０】
2019002257.tif 000012
【図１１】
2019002257.tif 000013
【図１２】
2019002257.tif 000014